(57)【要約】      （修正有）【課題】複雑な構成部品、体積、製造工程の作業時間、労力及びコストを簡素化させることができる薄型化磁気ヘッドを提供する。【解決手段】基台座１と、基台座１の外部表面に設けられる少なくとも１つの磁性検知器２と、基台座１の外部表面に結合されると共に、磁性検知器２を包覆する少なくとも１枚の保護片３と、基台座１の底部に結合される制御回路基板４とを備え、制御回路基板４と磁性検知器２とは電気的に接続されている。【選択図】図４
0003193282.tif 000002
【実用新案登録請求の範囲】
【請求項１】
基台座と、
前記基台座の外部表面に設けられる少なくとも１つの磁性検知器と、
前記基台座の外部表面に結合されると共に、前記磁性検知器を包覆する少なくとも１枚の保護片と、
前記基台座の底部に結合される制御回路基板と、を備え、前記制御回路基板と前記磁性検知器とは電気的に接続されていることを特徴とする、薄型化磁気ヘッド。
【請求項２】
前記基台座の表面に少なくとも１つの位置決め部が凹設されると共に、前記位置決め部に少なくとも１つの位置決めスロットが設けられ、前記磁性検知器は前記位置決めスロットに設けられ、前記保護片は、前記位置決め部に対応して設けられると共に、前記磁性検知器を包覆することを特徴とする、請求項１に記載の薄型化磁気ヘッド。
【請求項３】
前記少なくとも１枚の保護片は、延長部分が延設されており、前記延長部分は、下向きに湾曲して前記基台座の底部に位置されると共に、前記制御回路基板を包覆することを特徴とする、請求項１に記載の薄型化磁気ヘッド。
【請求項４】
前記制御回路基板には、制御装置又は制御回路に電気的に接続される少なくとも１つの接続ポートが延設されることを特徴とする、請求項１に記載の薄型化磁気ヘッド。
【請求項５】
前記基台座の底面に固設される保護板を備えることを特徴とする、請求項１に記載の薄型化磁気ヘッド。
【請求項６】
信号処理チップを備え、前記基台座に収容空間が設けられ、前記信号処理チップは、前記収容空間内に設けられると共に、前記制御回路基板に電気的に接続され、前記磁性検知器から送信される読取信号を処理するために用いられることを特徴とする、請求項１に記載の薄型化磁気ヘッド。
【請求項７】
前記保護片の材質は、可撓性を有するプラスチック材料であることを特徴とする、請求項１に記載の薄型化磁気ヘッド。
【請求項８】
前記磁性検知器は、異方性磁気抵抗センサ（Ａｎｉｓｏｔｒｏｐｉｃ  Ｍａｇｎｅｔｏ  Ｒｅｓｉｓｔａｎｃｅ，略称：ＡＭＲ）であることを特徴とする、請求項１に記載の薄型化磁気ヘッド。
【請求項９】
前記磁性検知器は、巨大磁気抵抗センサ（Ｇｉａｎｔ  Ｍａｇｎｅｔｏ  Ｒｅｓｉｓｔａｎｃｅ，略称：ＧＭＲ）であることを特徴とする、請求項１に記載の薄型化磁気ヘッド。
【請求項１０】
前記磁性検知器は、トンネル磁気抵抗センサ（Ｔｕｎｎｅｌｉｎｇ  Ｍａｇｎｅｔｏ  Ｒｅｓｉｓｔａｎｃｅ，略称：ＴＭＲ）であることを特徴とする、請求項１に記載の薄型化磁気ヘッド。
【考案の詳細な説明】
【技術分野】
【０００１】
本考案は、薄型化磁気ヘッドに関する。
【背景技術】
【０００２】
従来の磁気ヘッド（図１参照）は、主に複数のコイルブラケットＡ１と、リード足Ａ２と、複数の薄膜合金導磁片Ａ３と、亜鉛鉄合金固定枠Ａ４と、ステンレス鋼金属シャーシＡ５とから構成される。
その内、リード足Ａ２は、コイルブラケットＡ１に設けられる。各コイルブラケットＡ１はエナメル線を巻回して製造するコイルを有し、このコイルはリード足Ａ２に電気的に接続される。複数の薄膜合金導磁片Ａ３は、順次に積み重ねて配列されてコイルブラケットＡ１の上に結合され、エナメル線を巻回して製造するコイル、及び複数の薄膜合金導磁片Ａ３が結合されたコイルブラケットＡ１を亜鉛鉄合金固定枠Ａ４の内部に結合する。さらに、亜鉛鉄合金固定枠Ａ４の外部を被装するステンレス鋼金属シャーシＡ５が設けられる。最後に、亜鉛鉄合金固定枠Ａ４の内部に樹脂材質を充填すると、磁気ヘッドの組み立てが完成する。
組み立てが完成した後の従来の磁気ヘッドにおいて、亜鉛鉄合金固定枠Ａ４は、ステンレス鋼金属シャーシＡ５の外部から突出してしまうので、研磨やポリシングなどの製造工程を経過しなければ、磁気ヘッドの製品を製造することができない。
【０００３】
従来の磁気ヘッドは、以下のような不具合がある。
１．コイルブラケットＡ１には、エナメル線を巻回して製造するコイルが必要になり、しかも複数の薄膜合金導磁片Ａ３を結合する必要があるため、全体の体積が膨大となり、薄型化することができないことから、薄型化電子装置（例えば、スマートフォン、タブレットパソコンなど）に応用することができない。
２．構成素子の数が多く、かつコイルブラケットＡ１の上にエナメル線を巻回して製造するコイル、及び複数の薄膜合金導磁片Ａ３を積み重ねて結合する必要があるため、組み立ての製造工程には、人の手で加工して生産しなければならない。こうすると、磁気ヘッドの製造工程に要する作業時間が長くなり、コストが増加してしまう。
【０００４】
３．使用されているエナメル線で作るコイル、複数の薄膜合金導磁片Ａ３、亜鉛鉄合金固定枠Ａ４及びステンレス鋼金属シャーシＡ５のいずれも金属素子であるので、コストを高騰させる要因となっている。
４．組み立てが完成した後、研磨やポリシングなどの製造工程を経過しなければ、磁気ヘッドの製品を製造することができない。また、研磨の製造工程において、一旦僅かな誤差が生じると、往々にして磁気ヘッド全体の機能に影響を与えることになり、このために、製造工程の歩留りを向上させることができなくなるのが実情である。
【考案の概要】
【考案が解決しようとする課題】
【０００５】
本考案が解決しようとする課題は、上述の問題を解決し、複雑な構成部品、体積、製造工程の作業時間、労力及びコストを簡素化させることができる、薄型化磁気ヘッドを提供することにある。
【課題を解決するための手段】
【０００６】
本考案の薄型化磁気ヘッドは、基台座と、前記基台座の外部表面に設けられる少なくとも１つの磁性検知器と、前記基台座の外部表面に結合されると共に、前記磁性検知器を包覆する少なくとも１枚の保護片と、前記基台座の底部に結合される制御回路基板とを備え、前記制御回路基板と前記磁性検知器とが電気的に接続されている。制御回路基板は、磁性検知器から送信される読取信号を受信すると共に、読取信号を所定の制御装置に伝送するために用いられる。
【０００７】
以下の構成を採用してもよい。
前記基台座の表面に少なくとも１つの位置決め部が凹設されると共に、前記位置決め部に少なくとも１つの位置決めスロットが設けられ、前記磁性検知器は前記位置決めスロットに設けられ、前記保護片は、前記位置決め部に対応して設けられると共に、前記磁性検知器を包覆する構成。
前記少なくとも１枚の保護片は、延長部分が延設されており、前記延長部分は、下向きに湾曲して前記基台座の底部に位置されると共に、前記制御回路基板を包覆する構成。
前記制御回路基板には、制御装置又は制御回路に電気的に接続される少なくとも１つの接続ポートが延設される構成。
前記基台座の底面に固設される保護板を備える構成。
【０００８】
信号処理チップを備え、前記基台座に収容空間が設けられ、前記信号処理チップは、前記収容空間内に設けられると共に、前記制御回路基板に電気的に接続され、前記磁性検知器から送信される読取信号を処理するために用いられる構成。
前記保護片の材質は、可撓性を有するプラスチック材料である構成。
前記磁性検知器は、異方性磁気抵抗センサ（Ａｎｉｓｏｔｒｏｐｉｃ  Ｍａｇｎｅｔｏ  Ｒｅｓｉｓｔａｎｃｅ，略称：ＡＭＲ）である構成。
前記磁性検知器は、巨大磁気抵抗センサ（Ｇｉａｎｔ  Ｍａｇｎｅｔｏ  Ｒｅｓｉｓｔａｎｃｅ，略称：ＧＭＲ）である構成。
前記磁性検知器は、トンネル磁気抵抗センサ（Ｔｕｎｎｅｌｉｎｇ  Ｍａｇｎｅｔｏ  Ｒｅｓｉｓｔａｎｃｅ，略称：ＴＭＲ）である構成。
【考案の効果】
【０００９】
本考案によれば、データ読取するために磁性検知器を利用することで、伝統的な磁気ヘッドの複雑な構成部品、体積、製造工程の作業時間、人力及びコストを大幅に簡素化させることができ、保護片により磁性検知器を包覆することによって、磁性検知器が外部に直接露出して損傷を受けるのを防止することができる。
【図面の簡単な説明】
【００１０】
【図１】従来の磁気ヘッドの分解斜視図である。
【図２】本考案の第１実施例を示す薄型化磁気ヘッドの斜視図である。
【図３】本考案の第１実施例を示す薄型化磁気ヘッドの分解斜視図である。
【図４】本考案の第１実施例を示す薄型化磁気ヘッドの断面図である。
【図５】本考案の第２実施例を示す薄型化磁気ヘッドの分解斜視図である。
【図６】本考案の第２実施例を示す薄型化磁気ヘッドの断面図である。
【考案を実施するための形態】
【００１１】
以下、本考案の実施例を図面に基づいて詳細に説明する。但し、以下の説明は、あくまでも本考案の実施例の説明であるにすぎず、これらの実施例によって本考案の権利範囲が限定されるものではない。
【００１２】
図２、図３及び図４は、本考案の第１実施例を示す。
本考案の薄型化磁気ヘッドは、図３に示すように、基台座１と、少なくとも１つの磁性検知器２と、少なくとも１枚の保護片３と、制御回路基板４と、保護板５とを備える。
基台座１は、その底面に収容空間１０が設けられ（図４）、その表面に、少なくとも１つの位置決め部１１が凹設されると共に、位置決め部１１に少なくとも１つの位置決めスロット１２が設けられる。第１実施例では、基台座１の外部表面に適宜間隔をおいて３つの位置決め部１１が配列され、各位置決め部１１に１つの位置決めスロット１２が設けられる。
【００１３】
磁性検知器２は、基台座１の外部表面に設けられ、かつ、基台座１の位置決めスロット１２に対応して設置される。
なお、磁性検知器２は、異方性磁気抵抗センサ（Ａｎｉｓｏｔｒｏｐｉｃ  Ｍａｇｎｅｔｏ  Ｒｅｓｉｓｔａｎｃｅ，略称：ＡＭＲ）、巨大磁気抵抗センサ（Ｇｉａｎｔ  Ｍａｇｎｅｔｏ  Ｒｅｓｉｓｔａｎｃｅ，略称：ＧＭＲ）、トンネル磁気抵抗センサ（Ｔｕｎｎｅｌｉｎｇ  Ｍａｇｎｅｔｏ  Ｒｅｓｉｓｔａｎｃｅ，略称：ＴＭＲ）、又はその他の磁気抵抗材料とすることができる。
【００１４】
保護片３は、基台座１の外部表面に結合される。各保護片３は、基台座１の位置決め部１１に対応して設けられると共に、磁性検知器２を覆い、保護片３により磁性検知器２を包覆することによって、磁性検知器２が外部に直接露出するのを防止することができる。
また、保護片３の一端には、延長部分３１が延設されており、延長部分３１は、下向きに湾曲して基台座１の底面に相対して位置される。
保護片３の材質としては、可撓性を有するプラスチック材料、例えば、ポリ塩化ビフェニール（ｐｏｌｙｃｈｌｏｒｉｎａｔｅｄ  ｂｉｐｈｅｎｙｌ，略称：ＰＣＢ）、ポリプロピレン（Ｐｏｌｙｐｒｏｐｙｌｅｎｅ，略称：ＰＰ）、ポリエチレンテレフタレート（ｐｏｌｙｅｔｈｙｌｅｎｅ  ｔｅｒｅｐｈｔｈａｌａｔｅ，略称：ＰＥＴ）、やポリ塩化ビニル（ｐｏｌｙｖｉｎｙｌ  ｃｈｌｏｒｉｄｅ，略称：ＰＶＣ）などが挙げられる。あるいは、保護片３の材質は、アルミニウム、銅、鋼、又はその他の金属或いは金属合金であってもよい。
【００１５】
制御回路基板４は、基台座１の底部に結合されると共に、磁性検知器２に電気的に接続される。また、制御回路基板４には、少なくとも１つの接続ポート４１が延設され、接続ポート４１を介して所定の制御装置又は制御回路に電気的に接続される。
保護板５は、基台座１の底面に固設され、錠止、粘設、又はその他の方式を利用して基台座１の底面に結合される。
【００１６】
磁性検知器２は、基台座１の外部表面の位置決めスロット１２に設けられる。制御回路基板４は、基台座１の底部に結合され、かつ制御回路基板４の接続ポート４１は、基台座１の外部までに延設される。保護片３は、基台座１の外部表面の位置決め部１１に対応して設けられ、かつ保護片３の延長部分３１は、下向きに湾曲して制御回路基板４を包覆する。保護板５は、基台座１の底面に固設される。
【００１７】
磁性検知器２により読取される読取データは制御回路基板４に送信される。制御回路基板４は、磁性検知器２から送信される読取信号を受信すると共に、読取信号を接続ポート４１を介して所定の制御装置に伝達するために用いられる。この制御装置は、磁性検知器２により読取される読取データを処理するために用いられる。
【００１８】
図５と図６は本考案の第２実施例を示す。
第２実施例において、薄型化磁気ヘッドは、さらに信号処理チップ６を備える。信号処理チップ６は、基台座１の収容空間１０内に設けられると共に、制御回路基板４に電気的に接続され、磁性検知器２から送信される読取信号を処理するために用いられる。
磁性検知器２により読取された読取データは制御回路基板４に送信され、制御回路基板４により、磁性検知器２から送信される読取信号を受信してから、信号処理チップ６により、磁性検知器２から送信される読取信号を処理することで、読取信号を独立に処理することができる。これにより、本考案の薄型化磁気ヘッドを互換性のある電子装置に直接に取り付けることができる。
【００１９】
本考案の薄型化磁気ヘッドは、従来の磁気ヘッドにおけるエナメル線で作るコイル、コイルブラケット、複数の合金導磁片、又はその他の構成部品に代わって、データ読取するために磁性検知器２を利用することで、磁気ヘッドを薄型化させることができるのみならず、伝統的な磁気ヘッドの複雑な構成部品、体積、製造工程の作業時間、人力及びコストを大幅に簡素化させることもできる。
さらに、本考案の薄型化磁気ヘッドは、データ読取するために磁性検知器２を利用することで、製造工程において、研磨やポリシングなどの製造工程を削減して本考案の磁気ヘッドの製造工程の歩留りを大幅に向上させることが達成される。
【符号の説明】
【００２０】
１：基台座
１０：収容空間
１１：位置決め部
１２：位置決めスロット
２：磁性検知器
３：保護片
３１：延長部分
４：制御回路基板
４１：接続ポート
５：保護板
６：信号処理チップ
Ａ１：コイルブラケット
Ａ２：リード足
Ａ３：薄膜合金導磁片
Ａ４：亜鉛鉄合金固定枠
Ａ５：ステンレス鋼金属シャーシ
【図１】
0003193282.tif 000003
【図２】
0003193282.tif 000004
【図３】
0003193282.tif 000005
【図４】
0003193282.tif 000006
【図５】
0003193282.tif 000007
【図６】
0003193282.tif 000008